(57)【特許請求の範囲】
【請求項１】
固定面ａとの間に合成樹脂フィルムＡを介在させるとともに、該フィルムに設けた窓孔２を介して両面テープＢにより固定面ａと鏡裏面ｂとを固定し、且つ、合成樹脂フィルムＡ一端より一体に延設した鏡分離用の指掛け突片A1を周縁側方に突出して鏡Ｃを固定させたことを特徴とする化粧用コンパクト容器。
【請求項２】
上記窓孔２形成部分のみに於いて両面テープＢが積層されて鏡と固定面とを固定させてなる請求項１記載の化粧用コンパクト容器。
【請求項３】
上記合成樹脂フィルムＡと鏡裏面ｂとの間全面に亘って両面テープＢが積層されるとともに、該テープの窓孔２からの膨出部分が固定面ａと接着して鏡と固定面とを固定させてなる請求項１記載の化粧用コンパクト容器。
【請求項４】
上記窓孔２が、鏡Ｃの裏面周縁部に沿って環状に形成された合成樹脂フィルムの帯状環状部A2と、該環状部中央を横断する帯状横断部A3により画成された二箇所の窓孔２，２である請求項１記載の化粧用コンパクト容器。
【発明の詳細な説明】
【０００１】
【発明の属する技術分野】
本発明は化粧用コンパクト容器に関する。
【０００２】
【従来の技術】
化粧用コンパクト容器として、例えば、上面に化粧品を収納する化粧品収納凹部を備えた皿状の容器本体と、該本体後部に後部を回動可能に連結して本体上面を開閉可能に設けた蓋体とを、各前部で係脱可能に構成してなるもの、或いは上面をパフ収納部に形成した中皿を、容器本体と蓋体との間に開閉可能に設けたもの、或いは、容器本体にパフ収納部を形成し、中皿上面に化粧品収納凹部を設けたもの等種々の形態のものが知られている。
【０００３】
これらの化粧用コンパクト容器は鏡を設けているのが一般的で、その固定面として、蓋体裏面が極普通に挙げられる。また、中皿を有するものにあっては、蓋体裏面の他、中皿の下面を鏡の固定面としている場合もある。また、これら容器に於ける鏡の固定は、一般に両面テープを使用して行う場合が多く、また、固定面周囲を枠状に形成してその部分を鏡周囲に融着する等の方法が採用される場合もある。
【０００４】
【発明が解決しようとする課題】
近年の廃棄物処理事情によれば、合成樹脂と金属或いは硝子等との分別処理が要望されており、従来のコンパクト容器では、鏡を分離することに考慮が払われておらず、裏面をピッタリ固定した鏡を引き剥がすのは極めて困難で、仮に外すことが可能であっても時間，手間が掛かっている。特に、従来容器に於ける鏡はその固定面に鏡と略同形状の凹部を形成して、その中に嵌合固定させている場合が多いため、余計取り外しが困難となる。また、周囲を融着したものにあっては、更に分離が困難で、鏡を破損させないとうまく分離出来ない。
【０００５】
本発明は上記した点に鑑み、使用済の容器から鏡のみを容易に分離することができるとともに、使用時には鏡が外れる等の不都合を生じる虞が少なく確実に固定させておくことができ、また、その構造も簡単な優れた化粧用コンパクト容器を提案するものである。
【０００６】
【課題を解決するための手段】
本請求項１発明の容器は上記課題を解決するため、固定面ａとの間に合成樹脂フィルムＡを介在させるとともに、該フィルムに設けた窓孔２を介して両面テープＢにより固定面ａと鏡裏面ｂとを固定し、且つ、合成樹脂フィルムＡ一端より一体に延設した鏡分離用の指掛け突片A1を周縁側方に突出して鏡Ｃを固定させたことを特徴とする化粧用コンパクト容器として構成した。
【０００７】
また、請求項２発明の容器は、上記窓孔２形成部分のみに於いて両面テープＢが積層されて鏡と固定面とを固定させてなる請求項１記載の化粧用コンパクト容器として構成した。
【０００８】
また、請求項３発明の容器は、上記合成樹脂フィルムＡと鏡裏面ｂとの間全面に亘って両面テープＢが積層されるとともに、該テープの窓孔２からの膨出部分が固定面ａと接着して鏡と固定面とを固定させてなる請求項１記載の化粧用コンパクト容器として構成した。
【０００９】
また、請求項４発明の容器は、上記窓孔２が、鏡Ｃの裏面周縁部に沿って環状に形成された合成樹脂フィルムの帯状環状部A2と、該環状部中央を横断する帯状横断部A3により画成された二箇所の窓孔２，２である請求項１記載の化粧用コンパクト容器として構成した。
【００１０】
【発明の実施の形態】
以下、本発明の実施例の形態を図面を参照して説明する。
【００１１】
本発明の化粧用コンパクト容器１は、図示例の如く、固定面ａとの間に合成樹脂フィルムＡを介在させるとともに、該フィルムに設けた窓孔２を介して両面テープＢにより固定面ａと鏡裏面ｂとを固定し、また、合成樹脂フィルムＡ一端より一体に延設した鏡分離用の指掛け突片A1を側方に突出して鏡Ｃを固定させている。
【００１２】
固定面ａは、鏡Ｃを固定させるための平面であり、化粧用コンパクト容器の形態によりその具体的な位置は種々採用できる。一般的には容器本体の後部に後部を回動可能に連結して容器体上面を開閉可能に設けた蓋体の裏面を固定面とするが、容器本体上面を開閉可能に中皿を設けるとともに、中皿上面を開閉可能に蓋体を設けた形態の容器の場合には、中皿裏面を固定面としてもよく、従来の化粧用コンパクト容器の鏡を固定する平面であればどの様な部分であっても採用できる。
【００１３】
図示例は、上面に化粧品収納凹部３及びパフ収納凹部４を凹設した容器本体５と、該本体の後部に後部を回動可能に連結して容器本体５上面を開閉可能に設けた蓋体６とを備え、蓋体６の裏面を矩形状に凹ませた嵌合凹部７を形成し、該凹部内に鏡Ｃを固定する例を示している。また、図示例では、容器本体５の前面中央を後方へ押し込んで形成した凹部８内奥壁に突設した係合突起９に蓋体６裏面前部より垂設したフック10を係合させて、閉蓋状態を維持させる如く構成するとともに、凹部８内に揺動可能に設けた押し釦11の押圧により係合突起９とフック10との係合を解除可能に構成した公知の係合手段を設けている。
【００１４】
合成樹脂フィルムＡは、廃棄の際に鏡をその他の合成樹脂製部分と容易に分離させるために設けたもので、その形状は種々採用できるが、固定する鏡Ｃと略同形状の輪郭を持ったものがその目的を叶える上で好ましい。
【００１５】
この合成樹脂フィルムＡに設けた窓孔２の形状も、両面テープＢの積層形態等を考慮して種々選択すると良く、鏡の良好な接着性を考えると比較的大きめのものが良く、また、鏡Ｃを分離する際の容易さを考えると、極端に大きいものは敬遠する必要がある。また、窓孔２が中央一箇所にある場合よりも二箇所以上にある場合の方が、鏡裏面ｂを均一に固定することが出来て確実な鏡の固定が行えるとともに、鏡を剥がす場合も非固定部分が分散して剥離し易く、確実な固定と容易な分離とを併せて発揮できて好ましいものとなる。特に、図示例の如く、上記窓孔２を、鏡Ｃの裏面周縁部に沿って環状に形成された帯状環状部A2と、該環状部中央を横断する帯状横断部A3により画成された二箇所の窓孔２，２として構成したものは、良好な接着性と、良好な剥離性を併せ持つ。
【００１６】
両面テープＢは、化粧用コンパクト容器の鏡を固定する場合に通常使用されているものが使用でき、その積層形態は種々の形態が採用できる。
【００１７】
例えば、図１乃至図４に示す実施例の如く、窓孔２形成部分のみに両面テープＢを積層した場合が挙げられる。この場合には、合成樹脂フィルムＡの厚さを考慮し、合成樹脂フィルムＡより若干厚めの両面テープＢを選択すれば、鏡Ｃと固定面ａとが直接両面テープにより接着したこととなり良好な接着性を得られるとともに、鏡Ｃを剥がす際に合成樹脂フィルムＡは両面テープＢとの接着部分がないため、剥がし易い。
【００１８】
また、図５及び図６に示す実施例の如く、合成樹脂フィルムＡと鏡裏面ｂとの間全面に亘って両面テープＢが積層されるとともに、該テープの窓孔２からの膨出部分が固定面ａと接着して鏡と固定面とを固定させても良い。この場合には、例えば、両面テープＢは合成樹脂フィルムＡより若干厚めのものを採用して、合成樹脂フィルムＡの窓孔２よりその一部を、フィルムＡを鏡裏面ｂに押圧することにより膨出させて該膨出部分を固定面ａと接着させる。従って、上記実施例の場合と比較して同面積の接着部分の場合には若干接着力が落ちる傾向はあるが、鏡Ｃを固定面ａに固定させておくには充分な接着強度を得られ、また、廃棄の際鏡を剥離させる場合に、より容易に行える利点を備えている。また、この場合には、鏡を剥離した際に鏡側に両面テープＢを接着させておくことができる。
【００１９】
また、図７に示す実施例の如く、合成樹脂フィルムＡと固定面ａとの間全面に亘って両面テープＢが積層されるとともに、該テープの窓孔２からの膨出部分が固定面ａと接着して鏡と固定面とを固定させても良い。この場合も、例えば両面テープＢは合成樹脂フィルムＡより若干厚めのものを採用し、窓孔２より一部を同様に押圧膨出させて、該膨出部分を鏡裏面ｂと接着させる。
【００２０】
指掛け突片A1は合成樹脂フィルムＡと一体に形成されたもので、鏡Ｃを分離する際に摘んで合成樹脂フィルムＡを引き上げるために設けている。その形状は種々採用出来、また、その突出部分も図示例の場合の様に、合成樹脂フィルムＡの右側前縁からに限らず、突出場所は適宜選択できる。
【００２１】
上記の如く構成した化粧用コンパクト容器１を廃棄する場合には、例えば、図１の状態から指掛け突片A1を摘んで引き上げると、図４に示す如く、合成樹脂フィルムＡが鏡Ｃを押し上げて両面テープＢの接着部分を剥離して容易に鏡を分離することができる。
【００２２】
【発明の効果】
以上説明した如く本発明化粧用コンパクト容器は、既述構成としたことにより、使用済の容器から鏡のみを容易に分離することが出来るとともに、使用時に鏡が外れる等の不都合を生じる虞が少なく確実に固定させておくことがてき、また、その構造も簡単で容易に製造することができるという利点を有する。
【００２３】
また、窓孔形成部分のみに於いて両面テープが積層されて鏡と固定面とを固定させたものにあっては、鏡裏面と固定面とを無理なく接着固定させることができて良好な固定性を得られ、また、鏡を剥がす際には、合成樹脂フィルムと両面テープとの接着面がないため、指掛け突片を強く引き上げれば比較的容易に取り外すことができて、容易な剥離性を得られ、必要に応じた充分な固定性と剥離性とを兼ね備えたものとなる。
【００２４】
また、合成樹脂フィルムと鏡裏面との間全面に亘って両面テープが積層されるとともに、該テープの窓孔からの膨出部分が固定面と接着して鏡と固定面とを固定させてたものにあっては、鏡を外した場合に鏡側に付着させておきたい両面テープを確実に鏡側に付着させておくことができる利点を兼ね備えている。
【００２５】
また、窓孔が、鏡の裏面周縁部に沿って環状に形成された合成樹脂フィルムの帯状環状部と、該環状部中央を横断する帯状横断部により画成された二箇所の窓孔であるものにあっては、接着部分と非接着部分の位置関係が良く、鏡裏面を均一に接着できるとともに、鏡剥離の際には、非接着部分が分散して接着部分にかかる剥離力を有効に発揮させることができる。
【図面の簡単な説明】
【図１】本発明の一実施例を示す斜視図である。
【図２】同実施例の鏡を分離する際の説明図である。
【図３】同実施例の要部拡大断面図である。
【図４】同実施例の鏡を分離している状態の斜視図である。
【図５】本発明の他の実施例を示す要部拡大断面図である。
【図６】同実施例の鏡を分離している状態の斜視図である。
【図７】本発明の更に他の実施例を示す要部拡大断面図である。
【符号の説明】
Ａ…合成樹脂フィルム，A1…指掛け突片，A2…帯状環状部，A3…帯状横断部，
Ｂ…両面テープ，Ｃ…鏡，２…窓孔
【図１】
0003805524.tif 000002
【図２】
0003805524.tif 000003
【図３】
0003805524.tif 000004
【図４】
0003805524.tif 000005
【図５】
0003805524.tif 000006
【図６】
0003805524.tif 000007
【図７】
0003805524.tif 000008